(57)【要約】      （修正有）【課題】分娩用マット上の体液の左側流又は右側流がマットの左側又は右側に漏れ難くした分娩用マットを提供する。【解決手段】分娩台に敷く分娩用マットであって、吸収体を透水性の上側シートと止水性の下側シートで挟んでいる方形状のマットにおいて、マットｍは、産婦から流出した体液が前側に流れる上面の左端部と右端部の両方又は一方にテープ６を重ねている。テープ６は、外側部をマットｍの上面に固着し、内側部をマットｍの上面に固着せずに非固着部７にし、内側部に長手方向に沿って弾性条８を伸長状態で付着している。弾性条８を伸長状態に保持する力を加えないと、弾性条８が収縮し、テープの非固着部７は、長手方向の長さが縮小し、マットｍの上面から起き上る構成にしている。起き上り状態の非固着部７は、マットｍ上の体液の左前側又は右前側に流れる左側流又は右側流の漏れ止めにする。【選択図】図１
0003182063.tif 000002
【実用新案登録請求の範囲】
【請求項１】
分娩台の上に敷く分娩用マットであって、吸収体を透水性の上側シートと止水性の下側シートで挟んでいる方形状のマットにおいて、
マットは、産婦から流出した体液が前側に流れる上面の左端部と右端部の両方又は一方にテープを重ね、
テープは、外側部をマットの上面に固着し、内側部をマットの上面に固着せずに非固着部にし、内側部に長手方向に沿って弾性条を伸長状態で付着し、
弾性条を伸長状態に保持する力を加えないと、弾性条が収縮し、テープの非固着部は、長手方向の長さが縮小し、マットの上面から起き上る構成にし、
テープの起き上り状態の非固着部は、マット上の体液の左前側又は右前側に流れる左側流又は右側流が当る漏れ止めにしていることを特徴とする分娩用マット。
【請求項２】
テープは、外側部の外に前端部と後端部をマットの上面に固着し、その前端部と後端部を除いて内側部を非固着部にしていることを特徴とする請求項１に記載の分娩用マット。
【請求項３】
テープの内側部は、内側縁に弾性条を付着していることを特徴とする請求項１又は２に記載の分娩用マット。
【請求項４】
テープは、体液が通過し難い帯状シートにしていることを特徴とする請求項１、２又は３に記載の分娩用マット。
【考案の詳細な説明】
【技術分野】
【０００１】
本考案は、産婦の分娩時に分娩台の上に敷く分娩用マットに関する。
【背景技術】
【０００２】
分娩台は、主台の前下側に補助台があり、主台の前上側の左側と右側に脚支持部がある。分娩時には、主台と補助台の上にシーツを敷き、シーツの上にマットを敷く。マットは、吸収機能を有する。産婦は、主台の上に上向きに頭部と胴体を横たえ、両脚を広げ上げて左右の脚支持部に載せる。主台上のマット後部の上に産婦の胴体の下半身、臀部が載る。補助台上のマット前部の上側は、新生児用の空間になる。
【０００３】
マットは、方形平板形状の吸収体を方形状の上側シートと下側シートで挟み、３層の積層体にしている。上側シートは、産婦から流出した羊水や血液などの体液が通過する透水性にしている。吸収体は、上側シートを通過した体液を吸収する吸収性にしている。下側シートは、吸収体が吸収した体液を通過させない止水性にしている。
【先行技術文献】
【特許文献】
【０００４】
【特許文献１】実開昭６２−１３９５１２号公報
【考案の概要】
【考案が解決しようとする課題】
【０００５】
［課  題］
産婦の分娩時、分娩台の主台は、後端、産婦の頭側を前端、産婦の脚側より少し高くし、その上のマット後部と産婦の頭部と胴体を緩く前下りにする。補助台は、主台の前端より低くする。マットは、主台から補助台に渡る中央部が前下りになる。補助台上のマット前部は、前下りにならない。産婦の臀部前側から流出した羊水や血液などの体液は、マットの上に落ち、マット上面を前側に流れつつマットに吸収される。減量しつつ流れる。
【０００６】
ところが、産婦から流出する体液は、流量が多くなると、又は、流速が早くなると、マットの上を流れている間に全量が吸収されない。未吸収の残液がマットの周縁を越えてマットの外側に流れ出る。体液がマットの外側に漏れる。マットの周囲を汚染することになる。
【０００７】
マット上の体液の流れは、左右に広がり、真正面に向って流れる正面流の外に、左側に傾斜した方向に流れる左側流と、右側に傾斜した方向に流れる右側流になる。体液の正面流は、前下りのマット中央部からマット前部に流れ落ち、ほぼ水平面のマット前部上面を減量しつつ前側に流れる。マットの前端から突出したシーツの前端部を後側に折り返してその折返部をマットの前端部の上に載せている場合は、マット前部上の体液の正面流は、シーツの折返部に向う。シーツの折返部に到達する未吸収の残液があれば、その残液は、シーツの折返部に当って留まり、その位置付近のマットに吸収される。マット上の体液の正面流は、マットの前側に漏れ難い。
【０００８】
一方、マット上には、体液の左側流又は右側流の流れ止めがない。マット上の体液の左側流又は右側流は、マットの左側又は右側に漏れ易い。
分娩用マットは、その上の体液がマットの左側又は右側に漏れないことが望まれる。
【０００９】
［着  想］
分娩用マットは、その上の羊水や血液などの体液の左側流又は右側流が当る漏れ止め用のテープを、左端部又は右端部の上に取り付けることにした。具体的には、漏れ止め用のテープは、マットの上面から起き上がる構成にする。取付位置は、方形状のマットの左端部と右端部の両方又は一方にする。
【００１０】
マットの左端部にテープを取り付ける場合は、マット上面の左端部にテープを重ねる。テープは、左側の外側部をマットの上面に固着する。テープの右側の内側部は、マットの上面に固着せず、非固着部にする。テープの内側部は、長手方向に沿って弾性条を伸長状態で付着する。
【００１１】
このテープ付のマットは、弾性条を伸長状態に保持する力を加えていると、弾性条、テープとマットのテープ付着部分が伸長状態に維持され、テープの非固着部がマットの上面に重なっている。弾性条を伸長状態に保持する力を加えない状態、自然状態にすると、弾性条が収縮し、テープの非固着部の長手方向長さが縮小する。テープの非固着部は、波状に変形し、ギャザーになる。すると、マットのテープ付着部分は、前端部と後端部がそれぞれ上側に湾曲すると共に、テープの非固着部がマットの上面から起き上る。テープの非固着部は、外側縁を中心として内側縁側が上側に回転して起き上る。起き上り状態の非固着部には、マット上の体液の左側流が当ることになる。テープの起き上り状態の非固着部は、体液の左側流の流れ止め、漏れ止めになる。
【００１２】
テープは、体液が通過し難い帯状シートであって、不織布、織布、合成樹脂フイルムや紙などが例示される。弾性条は、合成ゴム又は天然ゴムのゴム糸やゴム紐が例示される。
マットの右端部にテープを取り付ける場合は、マットの左端部の場合と同様である。
【課題を解決するための手段】
【００１３】
１．分娩台の上に敷く分娩用マットであって、吸収体を透水性の上側シートと止水性の下側シートで挟んでいる方形状のマットにおいて、
マットは、産婦から流出した体液が前側に流れる上面の左端部と右端部の両方又は一方にテープを重ね、
テープは、外側部をマットの上面に固着し、内側部をマットの上面に固着せずに非固着部にし、内側部に長手方向に沿って弾性条を伸長状態で付着し、
弾性条を伸長状態に保持する力を加えないと、弾性条が収縮し、テープの非固着部は、長手方向の長さが縮小し、マットの上面から起き上る構成にし、
テープの起き上り状態の非固着部は、マット上の体液の左前側又は右前側に流れる左側流又は右側流が当る漏れ止めにしていることを特徴とする分娩用マット。
２．上記１の分娩用マットにおいて、
テープは、外側部の外に前端部と後端部をマットの上面に固着し、その前端部と後端部を除いて内側部を非固着部にしていることを特徴とする。
３．上記１又は２の分娩用マットにおいて、
テープの内側部は、内側縁に弾性条を付着していることを特徴とする。
４．上記１、２又は３の分娩用マットにおいて、
テープは、体液が通過し難い帯状シートにしていることを特徴とする。
【考案の効果】
【００１４】
分娩用マット上の体液の左側流又は右側流は、分娩用マットの左端部又は右端部上のテープの起き上がり状態の非固着部に当り、分娩用マットの左側又は右側に漏れ難い。
【図面の簡単な説明】
【００１５】
【図１】本考案の実施形態における分娩用マットの平板状保持状態の平面図。
【図２】図１のＡ−Ａ線断面図であって、中間省略の拡大図。
【図３】同分娩用マットの自然状態の平面図。
【図４】同分娩用マットの自然状態の中間省略の側面図。
【図５】図３のＢ−Ｂ線端面図であって、中間省略の拡大図。
【図６】同分娩用マットの使用状態を示す模式平面図。
【図７】同分娩用マットの使用状態を示す模式側面図。
【考案を実施するための形態】
【００１６】
実施形態の分娩用マットｍは、緩衝機能と吸収機能を有している。図１と図２に示すように、平板形状の吸収体１を上側シート２と下側シート３で挟み、３層の積層体にしている。吸収体１は、緩衝体を兼用している。吸収体１、上側シート２と下側シート３は、それぞれ、方形状にしている。上側シート２と下側シート３は、吸収体１より一回り大きくしている。
【００１７】
上側シート２は、産婦から流出した羊水や血液などの体液が通過する透水性にしている。実施例では、透水性の不織布にしている。吸収体１は、上側シート２を通過した体液を吸収する吸収性と、産婦と新生児に対する緩衝性のある材料にしている。実施例では、破砕パルプに高分子吸収ポリマーを混合している。下側シート３は、吸収体１が吸収した体液を通過させない止水性にしている。実施例では、止水性の合成樹脂フイルムにしている。
【００１８】
上側シート２と下側シート３は、吸収体１の外回りに突出した四辺の周辺部４を重ねて固着している。固着には、実施例では、ホットメルト型の接着剤を使用している。透水性の上側シート２と止水性の下側シート３で吸収体１を封入している。
【００１９】
マットｍの上側シート２は、上面の左端部と右端部にそれぞれテープ６を重ねている。左右のテープ６は、それぞれ、上側シート２の左端縁、右端縁に沿って上側シート２の前後方向のほぼ全長に亘っている。テープ６は、体液が通過し難い帯状のシートにしている。実施例では、撥水性の帯状の不織布にしている。左右のテープ６は、それぞれ、外側部、前端部と後端部をマットの上側シート２に固着している。固着には、実施例では、ホットメルト型の接着剤を使用している。テープ６の内側部は、前端部と後端部を除き、マットの上側シート２に固着せず、非固着部７にしている。
【００２０】
テープ６の内側部は、折返部を下側に設けて二重にし、上下の折返部と非折返部の間に伸長状態のゴム糸８を挟んで固着している。折返部と非折返部及びゴム糸８を固着している。固着には、実施例では、ホットメルト型の接着剤を使用している。ゴム糸８は、伸長状態でテープ６の内側部に長手方向に沿ってほぼ全長に亘って付着している。ゴム糸８は、２本にし、テープ６の内側部の内側部分に並列している。１本のゴム糸８は、テープ６の内側部の内側縁に配置している。ゴム糸８の材質は、合成ゴム又は天然ゴムにしている。
【００２１】
この分娩用マットｍは、図１と図２に示すように、平板状に保持していると、即ち、弾性条のゴム糸８を伸長状態に保持する力を加えていると、ゴム糸８とテープ６が伸長状態に維持され、テープ６の非固着部７が上側シート２に重なっている。
【００２２】
ゴム糸８を伸長状態に保持する力を加えない状態、自然状態にすると、ゴム糸８が収縮する。ゴム糸８の収縮で、テープ６の非固着部７は、長手方向の長さが縮小し、細かい波状に変形する。ギャザーになる。すると、図３、図４と図５に示すように、マットｍのテープ６付着部分は、非固着部７の長さの縮小で前端部と後端部がそれぞれ上側に湾曲すると共に、非固着部７が上側シート２の上面から起き上る。非固着部７は、外側縁を中心として内側縁側が上側に回転して起き上る。マットｍの左右のテープ６付着部分において、それぞれ、ゴム糸８を自然状態にすると、左右の非固着部７がそれぞれ上側シート２の上面から起き上る。
【００２３】
分娩用マットｍを分娩台の上に敷く場合、図６と図７に示すように、前後に位置する主台１１と補助台１２の上にシーツｓを敷き、シーツｓの上にマットｍを敷く。シーツｓは、マットｍより大きい方形状にしている。実施例のシーツｓは、不織布に防水フイルムを積層している。
【００２４】
マットｍは、後部を主台１１の前部に載せ、中央部を主台１１から補助台１２に掛け渡し、前部を補助台１２に載せる。左右のゴム糸８は、自然状態にする。左右のテープ６は、それぞれ、非固着部７がマットの上側シート２上面から起き上る。シーツｓは、マットｍの前端から突出した前端部を後側に折り返してその折返部をマットｍの前端部の上に載せる。
【００２５】
分娩時には、産婦ｐは、主台１１の上に上向きに頭部と胴体を横たえ、両脚を広げ上げて左右の脚支持部１３に載せる。主台１１上のマットｍ後部の上に産婦ｐの胴体の下半身、臀部が載る。マットｍ後部の左右のテープ６付着部分は、産婦ｐの臀部の左側と右側に位置する。左右のテープ６のゴム糸８を伸長状態に保持する力を加えない状態になる。補助台１２上のマットｍ前部の上側は、新生児用の空間になる。
【００２６】
主台１１は、産婦ｐの頭側、後端を産婦の脚側、前端より少し高くし、主台１１上のマットｍの後部と産婦ｐの頭部と胴体を緩く前下りにする。主台１１の斜面上のマットｍの後部は、緩斜面になる。補助台１２は、主台１１の前端より低くする。マットｍは、上段の主台１１から下段の補助台１２に渡る中央部が前下りになる。マットｍの中央部は、急斜面になる。補助台１２上のマットｍ前部は、前下りにならない。ほぼ水平になる。
【００２７】
産婦ｐの臀部前側から流出した羊水や血液などの体液ｆ、ｌ、ｒは、マットｍの上に落ち、マットｍ上面を前側に流れる。その体液は、流れつつマットｍに吸収され、流量が減少していく。減量しつつ流れる。体液の流れは、左右に広がり、真正面に向って流れる正面流ｆ、左側に傾斜した方向に流れる左側流ｌと、右側に傾斜した方向に流れる右側流ｒになる。
【００２８】
体液の正面流ｆは、マットｍの後部と中央部を前側に流れ下って、マットｍの前部に流れ落ち、マットｍのほぼ水平な前部を前側に流れる。その正面流ｆは、減量しつつシーツｓの折返部に向う。シーツｓの折返部に到達する未吸収の残液があれば、その残液は、シーツｓの折返部に当って留まり、その位置付近のマットｍに吸収される。正面流ｆは、マットｍの前側に漏れ難い。
【００２９】
体液の左側流ｌは、マットｍの後部と中央部を左前側に斜めに流れ下って、減量しつつ左側のテープ６の非固着部７に向う。左側の非固着部７に到達する未吸収の残液があれば、その残液は、左側の起き上り状態の非固着部７に当って留まり、その位置付近のマットｍに吸収される。左側流ｌは、マットｍの左側に漏れ難い。左側の起き上り状態の非固着部７は、左側流ｌの漏れ止めになる。
【００３０】
体液の右側流ｒは、マットｍの後部と中央部を右前側に斜めに流れ下って、減量しつつ右側のテープ６の非固着部７に向う。右側の非固着部７に到達する未吸収の残液があれば、その残液は、右側の起き上り状態の非固着部７に当って留まり、その位置付近のマットｍに吸収される。右側流ｒは、マットｍの右側に漏れ難い。右側の起き上り状態の非固着部７は、右側流ｒの漏れ止めになる。
【００３１】
［変形例］
本考案は、上記の実施形態に限定されない。次のような変形が例示される。
１．上記の実施形態において、分娩用マットｍは、前後方向に長い長方形状であるが、正方形状にする。
２．上記の実施形態において、テープ６は、外側部の外に前端部と後端部もマットｍに固着しているが、外側部のみをマットｍに固着する。換言すると、テープ６の内側部は、前端部と後端部を除いて非固着部７にしているが、前端部と後端部を含めて非固着部にする。
３．上記の実施形態において、ゴム糸８の弾性条は、２本にしているが、１本又は３本以上にする。
４．上記の実施形態中の実施例において、固着には、ホットメルト型の接着剤を用いているが、他の接着剤を用いる。又は、溶着や圧着などの他の固着手段を用いる。
【符号の説明】
【００３２】
ｍ  分娩用マット、マット
１  吸収体、緩衝体兼用の吸収体
２  上側シート
３  下側シート
４  上側シートと下側シートの周辺部
６  テープ、漏れ止め用のテープ
７  テープの非固着部、体液の左側流又は右側流の漏れ止め
８  ゴム糸、弾性条
１１  分娩台の主台
１２  分娩台の補助台
１３  分娩台の脚支持部
ｓ  シーツ
ｐ  産婦
ｆ、ｌ、ｒ  体液
ｆ  体液の正面流
ｌ  体液の左側流
ｒ  体液の右側流
【図１】
0003182063.tif 000003
【図２】
0003182063.tif 000004
【図３】
0003182063.tif 000005
【図４】
0003182063.tif 000006
【図５】
0003182063.tif 000007
【図６】
0003182063.tif 000008
【図７】
0003182063.tif 000009